(57)【特許請求の範囲】
【請求項１】
目地部を介して設けられた左右の床躯体の、一方の目地部側床躯体に後端部が所定間隔で取付けられた先端部の上部内壁にローラを有する複数個の筒状の支持アームと、この複数個の筒状の支持アームに、下部にローラが設けられた先端部が挿入された状態で、前記左右の床躯体の他方の目地部側床躯体に先端部が上下方向に回動できるように後端部が枢支された複数個の挿入支持アームと、前記複数個の筒状の支持アームの上部を覆うように、該複数個の筒状の支持アームに取付けられた一方のカバープレートと、この一方のカバープレートに先端部がスライド移動可能に支持され、後端部が前記複数個の挿入支持アームの後端部に固定された他方のカバープレートと、前記複数個の挿入支持アームの後端部に後端部が取付けられ、先端部が前記複数個の筒状の支持アームの外壁に取付けられたガイド部材に案内されてスライド移動する支承板と、この支承板に所定間隔で取付けられた前記他方のカバープレートの底面と先端部のローラが接触して荷重を支えることができ、前記一方のカバープレートと接触すると、該一方のカバープレートの下部へ入り込む複数個の荷重支持機構とからなることを特徴とする床用目地装置。
【請求項２】
複数個の筒状の支持アームあるいは複数個の挿入支持アームは、一方の目地部側床躯体あるいは他方の目地部側床躯体のいずれか一方、あるいは両方に前後方向にスライド移動可能に取付けられていることを特徴とする請求項１記載の床用目地装置。
【発明の詳細な説明】
【技術分野】
【０００１】
本発明は目地部を介して設けられた左右の床躯体間を覆う床用目地装置に関する。
【背景技術】
【０００２】
従来、この種の床用目地装置は他方の目地部側床面に目地プレートスライド凹部を形成し、一方の目地部側床躯体に後端部が取付けられ、先端部が前記目地プレートスライド凹部にスライド移動可能に支持された目地プレートを位置させ、前記目地プレートスライド凹部に位置する目地プレートをカバープレートで覆うように構成されている。
【０００３】
しかしながら、このように構成された床用目地装置は、地震での目地部が広くなつたり、狭くなるような揺れ動きは吸収することができるが、左右の床躯体が不等沈下等によって高さが異なると、カバープレートが目地プレートによって押し上げられ、危険な状態になるという欠点があった。
【先行技術文献】
【特許文献】
【０００４】
【特許文献１】特許第３９５５５４５号公報
【発明の概要】
【発明が解決しようとする課題】
【０００５】
本発明は以上のような従来の欠点に鑑み、地震で左右の床躯体が不等沈下しても、その揺れ動きを吸収することができるとともに、目地部が広くなっても、狭くなっても、その揺れ動きを吸収でき、かつカバープレート上を安全に走行することができる床用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は目地部を介して設けられた左右の床躯体の、一方の目地部側床躯体に後端部が所定間隔で取付けられた先端部の上部内壁にローラを有する複数個の筒状の支持アームと、この複数個の筒状の支持アームに、下部にローラが設けられた先端部が挿入された状態で、前記左右の床躯体の他方の目地部側床躯体に先端部が上下方向に回動できるように後端部が枢支された複数個の挿入支持アームと、前記複数個の筒状の支持アームの上部を覆うように、該複数個の筒状の支持アームに取付けられた一方のカバープレートと、この一方のカバープレートに先端部がスライド移動可能に支持され、後端部が前記複数個の挿入支持アームの後端部に固定された他方のカバープレートと、前記複数個の挿入支持アームの後端部に後端部が取付けられ、先端部が前記複数個の筒状の支持アームの外壁に取付けられたガイド部材に案内されてスライド移動する支承板と、この支承板に所定間隔で取付けられた前記他方のカバープレートの底面と先端部のローラが接触して荷重を支えることができ、前記一方のカバープレートと接触すると、該一方のカバープレートの下部へ入り込む複数個の荷重支持機構とで床用目地装置を構成している。
【発明の効果】
【０００９】
以上の説明から明らかなように、本発明にあっては次に列挙する効果が得られる。
（１）請求項１により、地震により目地部が広くなったり、狭くなっても、複数個の挿入支持アームが複数個の筒状の支持アームを突出方向や収納方向にスライド移動して、その揺れ動きを吸収するとともに、複数個の挿入支持アームの後端部に取付けられた支承板に所定間隔で取付けられた複数個の荷重支持機構で他方のカバープレートを支持するので、該他方のカバープレートに荷重が加わっても撓んだりするのを防止でき、安全に使用することができる。    
（２）前記（１）により、目地部は一方のカバープレートと他方のカバープレートで覆われた状態となるので、表面部分をスッキリとさせ、安全に使用することができる。
（３）前記（１）により、他方の目地部側床躯体に先端部が上下方向に回動できるように後端部が取付けられた複数個の挿入支持アームによって、左右の床躯体が地震で不等沈下した場合に、他方のカバープレートの先端部が一方のカバープレートより離れるのを防止でき、安全に使用することができる。
（４）前記（１）により、複数個の筒状の支持アーム内を、複数個の挿入支持アームをローラを介してスライド移動させるので、よりスムーズに複数個の挿入支持アームをスライド移動させることができる。
（５）請求項２も前記（１）〜（４）と同様な効果が得られるとともに、地震で左右の床躯体が異なる前後方向に揺れ動いても、前後方向にスライド移動して、その揺れ動きを吸収することができる。
【図面の簡単な説明】
【００１０】
【図１】本発明を実施するための第１の形態の平面図。
【図２】本発明を実施するための第１の形態の側面図。
【図３】図１の３−３線に沿う断面図。
【図４】図１の４−４線に沿う断面図。
【図５】本発明を実施するための第１の形態の筒状の支持アームの説明図。
【図６】本発明を実施するための第１の形態の挿入支持アームの説明図。
【図７】本発明を実施するための第１の形態の荷重支持機構の説明図。
【図８】本発明を実施するための第１の形態の目地部が狭くなった場合の動作説明図。
【図９】本発明を実施するための第１の形態の目地部が広くなった場合の動作説明図。
【図１０】本発明を実施するための第１の形態の不等沈下した場合の動作説明図。
【図１１】本発明を実施するための第２の形態の平面図。
【図１２】図１０の１１−１１線に沿う断面図。
【図１３】本発明を実施するための第２の形態の荷重支持機構の説明図。
【図１４】本発明を実施するための第３の形態の平面図。
【図１５】図１４の１５−１５線に沿う断面図。
【図１６】図１４の１６−１６線に沿う断面図。
【図１７】本発明を実施するための第４の形態の平面図。
【図１８】図１７の１８−１８線に沿う断面図。
【図１９】図１７の１９−１９線に沿う断面図。
【発明を実施するための形態】
【００１１】
以下、図面に示す本発明を実施するための形態により、本発明を詳細に説明する。
【００１２】
図１ないし図１０に示す本発明を実施するための第１の形態において、１は目地部２を介して設けられた左右の建物を含む床躯体３、３間を覆う本発明の床用目地装置で、この床用目地装置１は前記左右の床躯体３、３の一方の目地部側床躯体３に後端部が所定間隔で取付けられた複数個の筒状の支持アーム４と、この複数個の筒状の支持アーム４に先端部が挿入された状態で、前記左右の床躯体３、３の他方の目地部側床躯体３に先端部が上下方向に回動できるように後端部が枢支された複数個の挿入支持アーム５と、前記複数個の筒状の支持アーム４の上部を覆うように、該複数個の筒状の支持アーム４に取付けられた一方のカバープレート６と、この一方のカバープレート６に先端部がスライド移動可能に支持され、後端部が前記複数個の挿入支持アーム５の後端部に固定された他方のカバープレート７と、前記複数個の挿入支持アーム５の後端部に後端部が取付けられ、先端部が前記複数個の筒状の支持アーム４の外壁４ａに取付けられたガイド部材８に案内されてスライド移動する支承板９と、この支承板９に所定間隔で取付けられた、前記他方のカバープレート７の底面と先端部のローラ１０が接触して荷重を支えることができ、前記一方のカバープレート６と接触すると、該一方のカバープレート６の下部へ入り込む複数個の荷重支持機構１１とで構成されている。
【００１３】
前記複数個の筒状の支持アーム４は図５に示すように、四角筒状の支持アーム本体１２と、この支持アーム本体１２の後端上部に外方へ突出するように形成された取付部１３と、この取付部１３に固定されたあるいは枢支ピン１４で枢支されたアングル状のブラケット１５と、このブラケット１５の遊端部１５ａに形成された、前記一方の目地部側床躯体３にタッピングビス１６等で固定するためのビス挿入孔１７と、前記支持アーム本体１２の先端部の上部内壁に取付けられた上部ローラ１８とで構成されている。
【００１４】
前記複数個の挿入支持アーム５は図６に示すように、前記複数個の筒状の支持アーム４内にそれぞれスライド移動可能に挿入される板状あるいは筒状の挿入支持アーム本体１９と、この挿入支持アーム本体１９の先端下部に取付けられた下部ローラ２０と、前記挿入支持アーム本体１９の後端上部に外方へ突出するように形成された取付部２１と、この取付部２１に枢支ピン２２で枢支される支持片２３、２３を有するブラケット２４と、このブラケット２４の両端部に形成され、前記他方の目地部側床躯体３にタッピングビス２５、２５等で固定するためのビス挿入孔２６６、２６とで構成されている。
【００１５】
前記一方のカバープレート６は前記複数個の筒状の支持アーム４の上部側壁に固定された複数個のアングル状の取付部材２７にビス２８で固定されている。
【００１６】
前記他方のカバープレート７は先端部に傾斜面２９が形成され、後端部は該他方のカバープレート７がほぼ水平状態となるように、前記複数個の挿入支持アーム５の後端部にスペーサ３０を介して固定されている。
【００１７】
前記ガイド部材８は前記複数個の筒状の支持アーム４の下部に溶接や複数本のビスで固定されたクランク状の下部ガイドレール３１と、この下部ガイドレール３１の上部位置の前記複数個の筒状の支持アーム４の上部壁に溶接あるいは複数本のビスで固定されたクランク状の上部ガイドレール３２とで構成されている。  
【００１８】
前記支承板９は前記複数個の挿入支持アーム５の後端部に接続部材３３を介して、該挿入支持アーム５と並列された支承板本体３４と、この支承板本体３４の先端部の底面に取付けられた、前記下部ガイドレール３１上を転動するローラ３５と、前記支承板本体３４の先端部の上部寄りの部位に取付けられた、前記上部ガイドレール３２と係合する係合片３６とで構成されている。
【００１９】
前記荷重支持機構１１は前記支承板本体３４に所定間隔で、枢支ピン３７で回動可能に取付けられた複数個の支持アーム３８と、この複数個の支持アーム３８の先端部にそれぞれ取付けられた、前記他方のカバープレート７の底面と接触するローラ３９と、前記複数個の支持アーム３８がほぼ垂直状態となり、前記一方のカバープレート６で押されると回動できる前記支承板本体３４に固定された複数個のストッパー片４０と、この複数個のストッパー片４０に前記複数個の支持アーム３８が当接するように付勢する一端が該支持アーム３８の後端部寄りの部位に取付けられ、他端が前記支承板本体３４の上部寄りの部位に取付けられた複数個の付勢スプリング４１と、前記複数個の支持アーム３８の動作を阻止することなく、該支持アーム３８の変形を防止する、前記支承板本体３４に取付けられた上部に複数個の支持アーム挿入孔４２が形成された補強カバー４３とで構成されている。
【００２０】
上記構成の床用目地装置１は、通常時には複数個の筒状の支持アーム４に先端部がスライド移動可能に挿入された複数個の挿入支持アーム５の上部ローラ１８と下部ローラ２０との接触で直線状に支持され、これらの上に設けた一方のカバープレート６と他方のカバープレート７で目地部を覆っている。
【００２１】
この状態では他方のカバープレート７の底面は複数個の荷重支持機構１１で支持され、他方のカバープレート７に荷重がかかっても撓んだりするのを効率よく阻止する。
【００２２】
地震で目地部２が狭くなるように左右の床躯体３、３が揺れ動くと、図８に示すように複数個の筒状の支持アーム４内に複数個の挿入支持アーム５が入り込むとともに、複数個の挿入支持アーム５と一体で支承板９も移動するため、複数個の荷重支持機構１１のローラ３９が一方のカバープレート６と接触すると、付勢スプリング４１の付勢力に抗して支持アーム３８を回動して他方のカバープレート７の底面と当接するのを解除して支持アーム３８の損傷を防止する。
【００２３】
地震で目地部２が広くなるように左右の床躯体３、３が揺れ動くと、図９に示すように複数個の筒状の支持アーム４より複数個の挿入支持アーム５が抜け出る方向にスライド移動するとともに、複数個の挿入支持アーム５と一体で支承板９も移動するため、複数個の荷重支持機構１１のローラ３９が一方のカバープレート６と接触する状態を保ち、他方のカバープレート７に荷重が加わっても撓んだりするのを防止する。
【００２４】
地震で左右の床躯体３、３が不等沈下した場合、図１０に示すように複数個の筒状の支持アーム４の後端部が一方の目地部側の床躯体３に枢支ピン１４を介して取付けられ、複数個の挿入支持アーム５の後端部が他方の目地部側の床躯体３に枢支ピン２２を介して取付けられていると、該枢支ピン１４、２２部位で回動し、その揺れ動きを吸収するとともに、一方のカバープレート６と他方のカバープレート７が、該揺れ動きによって隙間が生じたりする危険な状態になるのを防止できる。
【００２５】
また、複数個の筒状の支持アーム４の後端部が一方の目地部側の床躯体３に固定されている場合には、該複数個の筒状の支持アーム４が下方へ位置した場合には、一方のカバープレート６に他方のカバープレート７の先端部が接触した状態となり、危険を防止することができるが、逆方向に移動した場合、一方のカバープレート６より他方のカバープレート７の先端部が上方へ突出する状態となってしまう。
【００２６】
なお、地震での左右の床躯体３、３の揺れ動きが停止すると、自動的に元の状態へ戻る。
[発明を実施するための異なる形態]
次に、図１１ないし図１９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２７】
図１１ないし図１３に示す本発明を実施するための第２の形態において、前記本発明を実施するための第１の形態と主に異なる点は、への字状の複数個の支持アーム３８Ａを用いて、該支持アーム３８Ａの自重で付勢スプリングの作用をするようにした複数個の荷重支持機構１１Ａを用いた点で、このような複数個の荷重支持機構１１Ａを用いて構成した床用目地装置１Ａにしても、前記本発明を実施するための第１の形態と同様な作用効果が得られる。
【００２８】
図１４ないし図１６に示す本発明を実施するための第３の形態において、前記本発明を実施するための第１の形態と主に異なる点は、複数個の筒状の支持アーム４の後端部に取付けたブラケット１５にレール４４を取付け、該レール４４を一方の目地部側床躯体３にほぼ水平に取付けられたガイドレール４５に前後方向にスライド移動可能に取付けた点で、このように構成した床用目地装置１Ｂにしても、前記本発明を実施するための第１の形態と同様な作用効果が得られるとともに、左右の床躯体３、３が異なる前後方向に揺れ動いても、その揺れ動きをガイドレール４４をスライド移動するレール４４で吸収することができる。
【００２９】
図１７ないし図１９に示す本発明を実施するための第４の形態において、前記本発明を実施するための第１の形態と主に異なる点は、複数個の挿入支持アーム５の後端部に取付けたブラケット２４にレール４６を取付け、該レール４６を他方の目地部側床躯体３のほぼ水平に取付けたガイドレール４７に前後方向にスライド移動可能に取付けた点で、このように構成した床用目地装置１Ｃにしても、前記本発明を実施するための第１の形態と同様な作用効果が得られるとともに、左右の床躯体３、３が異なる前後方向に揺れ動いても、その揺れ動きを、ガイドレール４７をスライド移動するレール４６で吸収することができる。
【００３０】
なお、複数個の筒状の支持アーム４と複数個の挿入支持アーム５の後端部を前後方向にスライド移動できるようにしてもよい。
【産業上の利用可能性】
【００３１】
本発明は目地部を介して設けられた左右の床躯体間を接続する床用目地装置を製造する産業で利用される。
【符号の説明】
【００３２】
１、  、１Ａ、１Ｂ、１Ｃ：床用目地装置、
２：目地部、        ３：床躯体、
４：筒状の支持アーム、    ５：挿入支持アーム、  
６：一方のカバープレート、  ７：他方のカバープレート、
８：ガイド部材、      ９：支承板、
１０：ローラ、      １１、１１Ａ：荷重支持機構、
１２：支持アーム本体、    １３：取付部、
１４：枢支ピン、      １５：ブラケット、
１６：タッピングビス、    １７：ビス挿入孔、
１８：上部ローラ、      １９：挿入支持アーム本体、
２０：下部ローラ、      ２１：取付部、
２２：枢支ピン、      ２３：支持片、
２４：ブラケット、      ２５：タッピングビス、
２６：ビス挿入孔、      ２７：取付部材、
２８：ビス、        ２９：傾斜面、
３０：スペーサ、      ３１：下部ガイドレール、
３２：上部ガイドレール、    ３３：接続部材、
３４：支承板本体、      ３５：ローラ、
３６：係合片、      ３７：枢支ピン、
３８、３８Ａ：支持アーム、  ３９：ローラ、
４０：ストッパー片、    ４１：付勢スプリング、
４２：支持アーム挿入孔、    ４３：補強カバー、
４４：レール、      ４５：ガイドレール、
４６：レール、      ４７：ガイドレール。
【図１】
0005862971.tif 000002
【図２】
0005862971.tif 000003
【図３】
0005862971.tif 000004
【図４】
0005862971.tif 000005
【図５】
0005862971.tif 000006
【図６】
0005862971.tif 000007
【図７】
0005862971.tif 000008
【図８】
0005862971.tif 000009
【図９】
0005862971.tif 000010
【図１０】
0005862971.tif 000011
【図１１】
0005862971.tif 000012
【図１２】
0005862971.tif 000013
【図１３】
0005862971.tif 000014
【図１４】
0005862971.tif 000015
【図１５】
0005862971.tif 000016
【図１６】
0005862971.tif 000017
【図１７】
0005862971.tif 000018
【図１８】
0005862971.tif 000019
【図１９】
0005862971.tif 000020